(57)【特許請求の範囲】
【請求項１】
背面にレール嵌合溝部(51a) 、(51a) を有するブレーカの前面が臨む窓孔(101) を設けたパネル(100) の裏面に、該ブレーカの深さと略同一長の２本の脚部(1) 、(1) と該脚部(1) 、(1) の先端間にブレーカのレール嵌合溝部(51a) 、(51a) に嵌合するブレーカ取付部(2) を橋架したブレーカ取付用架台を各脚部(1) の基端をもって取り付けるブレーカ取付用架台において、各脚部(1) の基端に基端の一部に折曲形成したネジ孔(31a) 付きの固定片部(31)と基端の他部に連設した係止片(32)とよりなる取付片部(3) を形成し、係止片(32)をパネル(100)に設けた係止孔(100b)に係止させることにより仮止めしてネジ孔(31a)をパネル(100)に設けたネジ挿通孔(100a)に合致させたうえネジ孔(31a)に止めネジ(33)を螺合させて取り付けたことを特徴とするブレーカ取付用架台。
【請求項２】
ブレーカ取付部(2) を２本のレール(21)、(21)よりなることとした請求項１に記載のブレーカ取付用架台。
【発明の詳細な説明】
【０００１】
【発明の属する技術分野】
本発明は、パネルに設けた窓孔から操作部を露出させてパネル裏面側にブレーカを取り付けるために使用するブレーカ取付用架台に関するものである。
【０００２】
【従来の技術】
従来のパネルに設けた窓孔から操作部を露出させてパネル裏面側にブレーカを取り付けは、図３に示すようにブレーカ本体５１の前面に操作部５２を露出させたフレーム５３を取り付けた埋込形ブレーカを、パネル１００の窓孔１０１の表面側からブレーカ本体５１を挿通したうえ前記フレーム５３の背面周縁を窓孔１０１の孔縁にネジ等により固定して取り付けるものであった。
【０００３】
【発明が解決しようとする課題】
しかし、背面にレール嵌合溝を備えＩＥＣレールなどのレールに取り付けるブレーカは、レールに取り付けることを前提としているため、ブレーカの前面にパネル取付用のねじ穴がなく、パネル裏面側にブレーカを取り付けることができないという問題がある。そこで、レール取付用のブレーカをパネル裏面側に容易に取り付けできるブレーカ取付用架台が待望されている。
【０００４】
【課題を解決するための手段】
前記の課題を解決するためになされた本発明のブレーカ取付用架台は、背面にレール嵌合溝部を有するブレーカの前面が臨む窓孔を設けたパネルの裏面に、該ブレーカの深さと略同一長の２本の脚部と該脚部の先端間にブレーカのレール嵌合溝部に嵌合するブレーカ取付部を橋架したブレーカ取付用架台において、各脚部の基端に基端の一部に折曲形成したネジ孔付きの固定片部と基端の他部に連設した係止片とよりなる取付片部を形成し、係止片をパネルに設けた係止孔に係止させることにより仮止めしてネジ孔をパネルに設けたネジ挿通孔に合致させたうえネジ孔に止めネジを螺合させて取り付けたことを特徴とするものである。そして、ブレーカ取付部を２本のレールよりなることとすることにより、レール取付用のブレーカの背面に設けたＩＣＥレール取付溝部に対応できる。
【０００５】
【発明の実施の形態】
次に、本発明の好ましい実施の形態を図面に基づき説明する。
１、１はブレーカ５１の深さと略同一長の２本の脚部であり、該脚部１、１の先端間には一対のレール２１、２１よりなるブレーカ取付部２が橋架されている。３は各脚部１の基端をパネル１００の裏面に取り付ける一手段としての取付片部であり、該取付片部３は脚部１の基端の一部に折曲形成したネジ孔３１ａ付きの固定片部３１と基端の他部に連設した係止片３２とよりなり、該係止片３２をパネル１００に設けた係止孔１００ａに係止させるとともに固定片部３１をパネル１００の裏面にネジ孔３１ａをパネル１００に設けたネジ挿通孔１００ａに合致させて当接させて、ネジ孔３１ａに止めネジ３３を螺合させて取り付けるものである。
【０００６】
このように構成されたブレーカ取付用架台は、先ず、ブレーカ取付部２にブレーカ５１の背面を取付固定する。すなわちブレーカ５１の背面にはＩＣＥレール嵌合用の溝部５１ａ、５１ａが設けられており、また、ブレーカ取付部２がＩＣＥレール嵌合溝部５１ａに対応する一対のレール２１、２１よりなるものであるので、溝部５１ａ、溝部５１ａをレール２１、２１に嵌合する。この場合に一方の溝部５１ａに固定係止爪５１ｂが設けられており、また、他方の溝部５１ａ側はブレーカ５１の背面には可動係止爪５１ｃが設けられているので、固定係止爪５１ｂを一方のレール２１に係止して一方の溝部５１ａを嵌合するとともに他方の溝部５１ａを他方のレール２１に嵌合して可動係止爪５１ｃを他方のレール２１に係止させることにより、別異に固定具を用意することなく的確に取り付けできるものである。
【０００７】
次に、ブレーカの前面が臨む大きさの窓孔１０１を設けたパネル１００の裏面に脚部１、１の基端をもって取り付ける。すなわち各脚部１の基端には基端の一部に折曲形成したネジ孔３１ａ付きの固定片部３１と基端の他部に連設した係止片３２とよりなる取付片部３を形成してあるので、係止片３２をパネル１００に設けた係止孔１００ｂに係止させることにより仮止めされるとともにネジ孔３１ａがパネル１００に設けたネジ挿通孔１００ａに自動的に合致するので取付作業が極めて容易となる。この場合に脚部１、１はブレーカ５１の深さと略同一長であるのでブレーカ５１はパネル１００裏面側に的確に格納されることとなる。
【０００８】
その後に該ブレーカ５１の端子部にパネル１００の裏面側の配線との接続を窓孔１０１の表面から操作して行ったうえ該窓孔１０１の表面側にブレーカの操作部露出用の小窓２０１を設けた化粧蓋２００を取り付けて窓孔１０１から見えるブレーカ５１の端子部を覆うとともに止めネジ３３を隠蔽して綺麗な仕上がりとするものである。また、ブレーカ取付用架台を先にパネル１００の裏面側に取り付けて、その後パネル１００の窓孔１０１の表面側からブレーカ取付用架台にブレーカを取り付けてもよい。
【０００９】
なお、以上の図示の実施の形態は、背面にＩＣＥレール嵌合用の溝部５１ａ、５１ａが設けたブレーカ５１に対応する一対のレール２１、２１よりなる取付部２を形成した２個のブレーカ５１を並設して取り付けたものにつき説明したが、これに限定されることなく１個、３個以上であってもまた、取付部は確実にブレーカを取り付けできるものであれば他の取付方法によるものでもよいことは勿論である。
【００１０】
【発明の効果】
以上に説明したように、本発明のブレーカ取付用架台は、背面にレール嵌合溝部を有するブレーカの前面が臨む窓孔を設けたパネルの裏面に、該ブレーカの深さと略同一長の２本の脚部と該脚部の先端間にブレーカのレール嵌合溝部に嵌合するブレーカ取付部を橋架したブレーカ取付用架台を各脚部の基端をもって取り付けたものであるから、レール取付用のブレーカをパネル裏面側に容易に取り付けできるもので、業界にもたらす益大なものである。
【図面の簡単な説明】
【図１】本発明の実施の形態を示す一部切欠斜視図である。
【図２】本発明の実施の形態を分解して示す斜視図である。
【図３】従来例をで示す一部切欠斜視図である。
【符号の説明】
１  脚部
２  ブレーカ取付部
３  取付片部
21  レール
31  固定片部
31a ネジ孔
32  係止片
51a ブレーカのレール嵌合溝部
100 パネル
101 窓孔
【図１】
0004036609.tif 000002
【図２】
0004036609.tif 000003
【図３】
0004036609.tif 000004